(57)【要約】【課題】ゴルフクラブに取り付けるだけで、プレイヤーが容易かつ迅速にスイングの正確な姿勢を学習することができる、ゴルフクラブのフェースアシスト装置を提供すること。【解決手段】シャフト１１とヘッド１２を備えるゴルフクラブ１に取り付けられ、シャフト１１に取り付けられる第１固定部材２、ヘッド１２に取り付けられる第２固定部材４、及び、第１固定部材２とヘッド１２との間においてシャフト１１に取り付けられる第３固定部材５を有し、第１固定部材２から延びた直線状の第１アシスト部材３の先端が第２固定部材４と連結され、第３固定部材５から延びた直線状の第２アシスト部材３１の先端が、第１アシスト部材３の中央よりも先端側に連結される。【選択図】図１
0003154891.tif 000002
【実用新案登録請求の範囲】
【請求項１】
シャフトとヘッドを備えるゴルフクラブに取り付けられるアシスト装置であって、前記シャフトに取り付けられる第１固定部材、前記ヘッドの先端部に取り付けられる第２固定部材、及び、前記第１固定部材と前記ヘッドとの間において前記シャフトに取り付けられる第３固定部材を有し、前記第１固定部材から延びる直線状の第１アシスト部材の先端が前記第２固定部材に連結され、前記第３固定部材から延びる直線状の第２アシスト部材の先端が、前記第１アシスト部材の中央よりも先端側に連結されたことを特徴とする、ゴルフクラブのフェースアシスト装置。
【請求項２】
前記第１固定部材及び第３固定部材が、挟持固定、粘着固定、磁性固定のいずれかにより前記シャフトに取り付けられることを特徴とする、請求項１に記載のゴルフクラブのフェースアシスト装置。
【請求項３】
前記第２固定部材が、前記ヘッドの先端部に被着されるカバー部材より成ることを特徴とする、請求項１に記載のゴルフクラブのフェースアシスト装置。
【請求項４】
前記第１アシスト部材及び第２アシスト部材が、プラスチック材又は金属材より成ることを特徴とする、請求項１に記載のゴルフクラブのフェースアシスト装置。
【考案の詳細な説明】
【技術分野】
【０００１】
本考案は、正確なボールを打つ姿勢とボールのインパクト点のトレーニングに用いるゴルフクラブのフェースアシスト装置に関する。
【背景技術】
【０００２】
ゴルフクラブをうまくスイングするには、ボールの方向をコントロールできるだけでなく、力も制御できなければならない。  
ボールの方向コントロールのポイントは、クラブのヘッドを正確な軌道上で動かすことにあり、軌道上の最も適切な一点にボールがあればターゲットに向かって飛ばすことができる。ボールを遠くへ飛ばすには、完全な力を解放する動作が必要であり、全身の力をうまくその適切な一点でボールに加えなければ、ボールを遠く正確に飛ばすことはできない。
【０００３】
しかし、一般のゴルフプレーヤーはゴルフのスイングを学ぶことが難しいと考えている。これは、スイングの軌道が目に見えないため、どうしてもヘッドが正確な軌道上を動くようにコントロールできなかったり、不正確に力を使い、打ったボールが軟弱で無力になってしまったり、左右に乱れて飛んでしまったりするためであり、一所懸命に練習場で練習してもなかなか軌道を安定させることができない。  
スイングの軌道を安定させ、同時に力を制御するのを助けるには、『基本動作』、『スイング平面』、『解放動作』の３つが最も重要であるが、スイング軌道は目に見えないため、どうしてもプレイヤーが高速でスイングするとき上述の３点を同時に顧みることができない。
【０００４】
トレーナーの指導を受けた後でも、最も重要なのはプレイヤーが継続して熟練するまで繰り返し練習することである。しかしながら、現在のあらゆる一般的なゴルフクラブを見ると、どれもプレイヤーの自己練習をアシストする構造が欠落しており、トレーナーがその場にいないという不足を補うことができない。  
トレーナーが基本動作を教えた後、初心者が自己練習するとき、自分のスイング状況が誤っていないかを知ることができず、すぐに調整することができないため、誤った姿勢でずっと練習してしまいかねない。録画して自分で観察したとしても、即時にスイングの過程で調整することはできない。  
しかも、一般のゴルフクラブは、円柱のシャフトであるため、角度のコントロールが難しく、またそのフェースの面積も小さ過ぎ、ボールに当てるときの難度も相対して高い。
【考案の概要】
【考案が解決しようとする課題】
【０００５】
本考案が解決しようとする課題は、ゴルフクラブに取り付けるだけで、プレイヤーが容易かつ迅速にスイングの正確な姿勢を学習することができる、ゴルフクラブのフェースアシスト装置を提供することにある。
【課題を解決するための手段】
【０００６】
本考案のゴルフクラブのフェースアシスト装置は、シャフトとヘッドを備えるゴルフクラブに取り付けられ、前記シャフトに取り付けられる第１固定部材、前記ヘッドに取り付けられる第２固定部材、及び、前記第１固定部材と前記ヘッドとの間においてゴルフクラブに取り付けられる第３固定部材を有し、前記第１固定部材から延びた直線状の第１アシスト部材の先端を前記第２固定部材と連結し、前記第３固定部材から延びた直線状の第２アシスト部材の先端を、前記第１アシスト部材の中央よりも先端側に連結してある。
【０００７】
フェースがゴルフボールに当たる瞬間に、プレイヤーの視点から、第１アシスト部材とヘッドのフェース上縁とが平行になるようスイングすると、フェースが最良の角度となって、スライスやフックとならずにゴルフボールを飛ばすことができる。  
また、第１アシスト部材とシャフトとヘッドとで囲まれた面を、実際のフェースよりも大面積の仮想フェースとし、第１アシスト部材と第２アシスト部材の連結点を仮想フェースの打球点とすると、正しいフェース角度でインパクトした時、プレイヤーの視点からは、打球点と実際のフェースのスイートスポットが一直線上に見えるので、仮想フェースの打球点を見て、この打球点でゴルフボールを打つつもりでスイングすると、プレイヤーの頭の位置が良くなって正しい姿勢が身につくと共に、ゴルフボールをフェースの最良位置に当ててゴルフボールの飛行軌道及び距離を向上させることができる。
【０００８】
前記第１固定部材及び第３固定部材が、挟持固定、粘着固定、磁性固定のいずれかにより前記シャフトに取り付けられることがある。  
前記第２固定部材は、前記ヘッドの前端部に被着されるカバー部材としても良い。  
前記第１アシスト部材及び第２アシスト部材は、プラスチック材又は金属材としても良い。
【考案の効果】
【０００９】
本考案によれば、次のような効果が得られる。  
一、正確なボールを打つ姿勢、方向、高さを保持でき、正確かつ完璧にボールを打つことが可能である。  
二、良くないスイング平面と姿勢を効果的に矯正し、打数を抑えることができる。  
三、ボールを打つ時に頭部を良い位置に保持でき、かつボールを打つ時にフェースの角度が正確かを検証でき、頭を上げたりミスをしたりすることを減少できる。  
四、バックスイング、ダウンスイング、フィニッシュの平面の正確性をチェックできる。  
五、スイング時の円周揺動動作を簡単に学習でき、迅速に身に付けることができる。  
六、高い角度でスイングするとき、正確なスイング方法を学習し、運動傷害を減少することができる。  
七、正確なボールのインパクト点を効果的に学習でき、スイング時にゴルフクラブが上下にぶれるのを防ぎ、完全なコースでボールを打つことができる。  
八、風の抵抗が増加し、ダウンスイングの遅延を作り出して、遠心力を増加させる。
【図面の簡単な説明】
【００１０】
【図１】本考案の実施例１を示すゴルフクラブのフェースアシスト装置の斜視図である。
【図２】本考案の実施例１を示すゴルフクラブのフェースアシスト装置の要部平面図である。
【図３】実施例１のゴルフクラブのフェースアシスト装置による正確なスイング軌道を説明する図である。
【図４】実施例１のゴルフクラブのフェースアシスト装置を用いてインパクトした時の側面図である。
【図５】本考案の実施例２を示すゴルフクラブのフェースアシスト装置の斜視図である。
【図６】本考案の実施例３を示すゴルフクラブのフェースアシスト装置の斜視図である。
【図７】本考案の実施例３を示すゴルフクラブのフェースアシスト装置の要部平面図である。
【図８】従来のパターの要部平面図である。
【図９】本考案の実施例４を示すゴルフクラブのフェースアシスト装置の斜視図である。
【考案を実施するための形態】
【００１１】
図１〜図４は、本考案の実施例１を示す。  
図１及び図２に示すように、本実施例のフェースアシスト装置は、シャフト１１とヘッド１２を備えたゴルフクラブ１に取り付けられる。ゴルフクラブ１は、５番ウッド（フェアウェイウッド）であり、シャフト１１の上部にはグリップ１１１が設けられ、ヘッド１２の一側にはフェース１２１が形成されている。  
また、フェースアシスト装置は、シャフト１１に取り付けられる第１固定部材２と、ヘッド１２に被せる第２固定部材４と、第１固定部材２とヘッド１２との間において、シャフト１１に取り付けられる第３固定部材５とを有する。
【００１２】
第１固定部材２は、一部が破断した環状のクリップより成り、シャフト１１の一側からはめ込むことにより、シャフト１１の中間部を挟持して固定される。  
第２固定部材４は、カバー状の部材であって、ヘッド１２の先端部に被着される。  
そして、第１固定部材２から延びる直線状の第１アシスト部材３の先端が第２固定部材４に連結されている。  
第１アシスト部材３は、プラスチック材又は鉄等の金属材より成る。  
また、第１アシスト部材３と第２固定部材４との連結部分は、シャフト１１の基部からフェース１２１の上縁１２１ａとほぼ平行に延びる直線上に位置するのが望ましい。
【００１３】
第３固定部材５は、第１固定部材２と同様のクリップより成り、シャフト１１のヘッド取付側の端部を挟持して固定される。  
また、第３固定部材５から延びる直線状の第２アシスト部材３１の先端が、第１アシスト部材３の中央よりも先端側、望ましくは、第１アシスト部材３の先端から１／６〜１／４の範囲に連結されている。  
第２アシスト部材３１は、プラスチック材又は鉄等の金属材より成る。
【００１４】
次に、本考案のフェースアシスト装置の使用方法を説明する。  
図３に、本考案のフェースアシスト装置を用いた時の正確なスイング軌道を示し、図４に、ボールを打つ瞬間の仮想位置を示す。  
図２に示すように、ボール６を打つ瞬間に、プレイヤーから見て、第１アシスト部材３とフェース１２１の上縁１２１ａが平行なとき、フェース１２１が最適な角度となり、ボール６が左右にぶれることなく正確な軌道を飛ぶ。従って、プレイヤーは第１アシスト部材３を用いてフェース１２１の角度を調節でき、この角度になるようスイングすることによって、正確なスイング軌道を身につけることができる。
【００１５】
第１アシスト部材３とシャフト１１とヘッド１２で囲まれた面を、実際のフェース１２１より広い仮想フェース１２２とし（図３）、第１アシスト部材３と第２アシスト部材３１の連接箇所を仮想フェース１２２の打球点３２とする（図４）。  
正しいフェース角度でインパクトした時、プレイヤーの視点からは、打球点３２と実際のフェース１２１のスイートスポットが一直線上に見えるので、仮想フェース１２２の打球点３２を見て、この打球点３２でゴルフボールを打つつもりでスイングすることにより、正しいスイング姿勢及びスイング軌道が身につく。  
従って、このフェースアシスト装置を用いて、プレイヤーはグリーンまでボールを飛ばしたいときの正確なスイング角度と姿勢を学習することができる。
【００１６】
図５は、本考案の実施例２を示す。  
ゴルフクラブ１ａは１番ウッド（ドライバー）であり、ゴルフクラブ１ａのヘッド１２ａの前端に第２固定部材４ａが被着される。  
その他の構造及び使用方法は、実施例１と同様である。  
なお、第２固定部材４ａはヘッド１２ａの上面にも装着することもできる。
【００１７】
図６及び図７は、本考案の実施例３を示す。
ゴルフクラブ１ｃはパターであり、ゴルフクラブ１ｃのヘッド１２ｃの先端に第２固定部材４ｃを被着する。  
その他の構造は、実施例１及び２と同様である。  
本実施例のフェースアシスト装置を用いて、プレイヤーはボールをホールに入れたいときの正確なスイング角度と姿勢を学習することができる。プレイヤーがスイングするとき、図７に示すように、本考案のアシスト装置を使用してパットすると、円滑かつ流暢にボールを打つことができ、かつパットの瞬間にシャフトが正確なスイング角度から逸脱しない。  
これに対して、図８に示すように、フェースアシスト装置を装着していない従来のパター７でスイングすると、ボールを打つ時にシャフトが容易に正確な軌道から逸脱し、ボールを正確なルートに向かわせることができない。
【００１８】
図９に本考案の実施例４を示す。  
第１固定部材２ａは、粘着固定または磁性固定によりシャフト１１ａの表面に固定される。
また、第３固定部材５ａも、粘着固定または磁性固定によりシャフト１１ａの表面に固定される。  
ヘッド１２ｄには第２固定部材４ｄが被着され、第１固定部材２ａと第２固定部材４ｄの間が直線状の第１アシスト部材３ａで連結される。  
第１アシスト部材３ａの適切な箇所と第３固定部材５ａが直線状の第２アシスト部材３１ａで連結される。  
その他の構成及び使用方法は、実施例１と変わるところはない。
【００１９】
なお、本考案のフェースアシスト装置は、上記実施例以外のゴルフクラブにも適用することができる。  
また、第１アシスト部材と第２アシスト部材の材質は上述の材質に限定されない。
【符号の説明】
【００２０】
１、１ａ、１ｃ  ゴルフクラブ
１１、１１ａ  シャフト
１２、１２ａ、１２ｃ、１２ｄ  ヘッド
１１１  グリップ
１２１  フェース
１２２  仮想フェース
２、２ａ  第１固定部材
３、３ａ  第１アシスト部材
３１、３１ａ  第２アシスト部材
４、４ａ、４ｃ、４ｄ  第２固定部材
５、５ａ  第３固定部材
３２  打球点
６  ボール
７  従来のパター
【図１】
0003154891.tif 000003
【図２】
0003154891.tif 000004
【図３】
0003154891.tif 000005
【図４】
0003154891.tif 000006
【図５】
0003154891.tif 000007
【図６】
0003154891.tif 000008
【図７】
0003154891.tif 000009
【図８】
0003154891.tif 000010
【図９】
0003154891.tif 000011